【事件の表示】
　平成３年特許願第３０５５８４号「テープカセット」拒絶査定に対する審判事件［平成５年５月１８日出願公開、特開平５−１２０８３５］について、次のとおり審決する。
【結　論】
　本件審判の請求は、成り立たない。
【理　由】
１．手続の経緯・本願発明　
　　本願は、平成３年１０月２５日の出願であって、その請求項１に係る発明（以下、「本願発明」という。）は、平成１３年１１月２６日付けの手続補正書によって補正された明細書及び図面の記載からみて、その特許請求の範囲の請求項１に記載された次のとおりのものである。
　
「【請求項１】　上下ハーフ部材を嵌合固定してなるカセット筺体内にテープ状記録媒体を巻装した一対のリールハブを収納するとともに、前記一対のリールハブと前記上ハーフ部材との間隙部分、及び前記一対のリールハブと前記下ハーフ部材との間隙部分に、シート部材を配置して成るテープカセットにおいて、
　前記テープカセットはヘッドドラムに対して所要角度で傾斜して回転されるようになされた回転ヘッドによりヘリカルスキャン方式で記録再生が行われるテープカセットであって、前記カセット筐体の開口部は前記ヘッドドラムの挿入部を成し、
　前記上ハーフ部材及び前記下ハーフ部材において前記カセット筐体の背面側に相当する内壁部分に左右非対称にする段部を成形するとともに、
　前記各シート部材の形状を、前記上ハーフ部材及び前記下ハーフ部材において左右非対称にする段部を成形された前記カセット筐体の背面側に相当する内壁部分に対応するようにその平面形状を非対称にする段部を形成し、
　前記各シート部材は特定の表裏方向状態でのみ前記一対のリールハブと前記上ハーフ部材との間隙部分、及び前記一対のリールハブと前記下ハーフ部材との間隙部分に、それぞれ配置可能とされていることを特徴とするテープカセット。」　
　
 ２．原査定の拒絶の理由において引用された刊行物
（１）　原査定の拒絶の理由において引用された実願昭５８−９８５４７号（実開昭６０−９０７８号）のマイクロフィルム（以下、「刊行物１」という。）には、図面とともに以下の事項が記載されている。
「このテープカセット（１）は、一対の上ハーフ（２）及び下ハーフ（３）を螺子止めすることにより合体して構成されるものである。このカセットの上ハーフ（２）と下ハーフ（３）は熱可塑性樹脂例えばスチロール樹脂にて構成される。（４）はこのテープカセット（１）内に収納された磁気テープである。・・・・・滑性シート（１０）が配置されテープカセット（１）内のハブ（６）に巻回されている磁気テープ（４）（以下これをスプールという）が目視できるようになされている。・・・・・（１３）はテープカセット（１）の前面の中央開口部で、記録又は再生時にこの中央開口部（１３）より記録再生ヘッドが挿入される如くなされている。」（第２頁第３〜２０行）
　
「このためこのテープカセット（１）では滑性シート（１０）の滑剤塗布面がスプールに接するような状態に組立てる必要があり、もしこれを誤ると、スプールを回転駆動する上での摩擦抵抗が増大し走行トラブルを生ずることにもなるのでテープカセット（１）の組立時に滑性シート（１０）の表裏を誤って組立てることのないようにしなければならない。
　しかしながら、この滑性シート（１０）は透明であるため外観上表裏の区別が付け難くその表裏を誤って組立てる虞れがあるという欠点があった。
考案の目的
　本考案は斯かる点に鑑み、テープカセットの組立時に滑性シートをその表裏を正しく挿入することができるようにすることを目的とする。」（第３頁第１３行〜第４頁第６行）
　
「実施例
　以下第３図及び第４図を参照しながら本考案のテープカセットの一実施例につき説明しよう。
　第３図は本例に用いられる滑性シート（１０）を取り出して示す平面図で、この滑性シート（１０）には一対のハブ孔（１１）、（１１）が設けてある。さらに、本例では滑性シート（１０）の図の左側部上方にコ字状の切欠き（３０）を設ける。
　また、この滑性シート（１０）の長手方向上側部（３１）及び下側部（３２）近傍にはそれぞれその側辺と平行に沿い、滑剤塗布面側に突出した断面Ｕ字状の小突条（１９）（１９）が設けてある。
　そして、このように構成された滑性シート（１０）を挿入して組み込む上下ハーフ（２）（３）は第４図に下ハーフ（３）の内面を例示するように構成されるものである。
　すなわち、第４図に例示した下ハーフ（３）の内面の窓部（５）部分には一点鎖線で示す状態に滑性シート（１０）を挿入するものであり、このため下ハーフ（３）の図で左方の窓枠部（３３）の上方部には滑性シート（１０）の切り欠き（３０）に対応した直方体状の位置決めリブ（３４）が突設してある。なお、この位置決めリブ（３４）は窓部（５）の短辺方向中央部を避けて形成する。
　さらに、この下ハーフ（３）の左右の窓枠部（３３）（３５）にはそれぞれ、滑性シート（１０）の長手方向上側（３１）の両端部に接して案内する直方体状の上方案内突部（３６ａ）（３６ｂ）を突設し、その長手方向下側（３２）の両端部を支持する直方体状の下方案内突部（３７ａ）（３７ｂ）を突設する。なお、上ハーフ（２）にも同様に位置決めリブ（３４）及び案内突部（３６ａ）（３６ｂ）（３７ａ）（３７ｂ）を突設するものとする。なお、以上説明した以外の本例のテープカセット（１）の構成は第１図、及び第２図に示す従来のものと同様である。
　上述したように構成された滑性シート（１０）を上下ハーフ（２）（３）に挿入して組込む場合には、滑性シート（１０）に一箇所設けられた切欠き（３０）によりその上下方向又は表裏を識別できるので、滑性シート（１０）の滑剤塗布面が・・・・・・・・・・。なお、この滑性シート（１０）をその上下方向又は表裏を誤って挿入して組込もうとした場合には、位置決めリブ（３４）が滑性シート（１０）の側部に当たって適正状態に納まらないので即座に誤りを認識し、適正状態に挿入されるよう訂正できるものである。
　また、上下ハーフ（２）（３）に設けられた、４つの案内突部（３６ａ）（３６ｂ）（３７ａ）（３７ｂ）と位置決めリブ（３４）が相俟って滑性シート（１０）の四隅部分を支持するので、滑性シート（１０）が適正状態から外れるようなこともない。」（第４頁第１７行〜第７頁第５行）
　
　以上の記載事項及び図面から、刊行物１には、以下の発明（以下「刊行物１の発明」という。）が記載されていると認められる。
　
　上下ハーフを螺子止めしてなるテープカセット内に磁気テープを巻回した一対のハブを収納するとともに、一対のハブと上下ハーフとの間に、滑性シートを挿入したテープカセットにおいて、
　テープカセット前面に記録再生ヘッドが挿入される開口部と成し、
　上ハーフ及び下ハーフの窓枠部の上方と下方に４つの案内突部を突設し、上ハーフ及び下ハーフにおける窓枠部の短辺方向中央部を避けた上方部にリブを一箇所突設するとともに、
　滑性シートの形状を、上記上ハーフと及び下ハーフの窓枠部の上方と下方に突設された４つの案内突部に長手方向の両端部が接し、上ハーフ及び下ハーフにおける窓枠部の短辺方向中央部を避けた上方部に突設された一箇所のリブに対応するようにその平面形状を左右非対称にする切り欠きを形成し、
　滑性シートは上下方向又は表裏が誤って組み立てられることのないように、一対のリールハブと上ハーフとの間、及び一対のリールハブと下ハーフの間に、挿入されたテープカセット。
　
３．対比　
　　本願発明（以下、「前者」という。）と刊行物１の発明（以下、「後者」という。）を対比すると、　
　後者の「滑性シート」「ハブ」「テープカセット」「上ハーフ部材」及び「下ハーフ部材」は、前者の「シート部材」「リールハブ」「カセット筐体」「上ハーフ」及び「下ハーフ」に相当し、
　後者の「滑性シート」が、「上下方向又は表裏が誤って組み立てられることのないように、一対のリールハブと上ハーフとの間、及び一対のリールハブと下ハーフの間、に挿入」は、
　前者の「各シート部材」が、「特定の表裏方向状態でのみ前記一対のリールハブと前記上ハーフ部材との間隙部分、及び前記一対のリールハブと前記下ハーフ部材との間隙部分に、それぞれ配置可能」に相当するものであるから、
　　両者は、本願発明の記載に従うと、
「上下ハーフ部材を嵌合固定してなるカセット筺体内にテープ状記録媒体を巻装した一対のリールハブを収納するとともに、前記一対のリールハブと前記上ハーフ部材との間隙部分、及び前記一対のリールハブと前記下ハーフ部材との間隙部分に、シート部材を配置して成るテープカセットにおいて、
　カセット筐体に開口部を有し、
　前記上ハーフ部材及び前記下ハーフ部材において前記カセット筐体のハーフ部分に左右非対称にする部分を成形するとともに、
　前記各シート部材の形状を、前記上ハーフ部材及び前記下ハーフ部材において左右非対称に成形された前記カセット筐体のハーフの一部分に対応するようにその平面形状を非対称にする部分を形成し、
　前記各シート部材は特定の表裏方向状態でのみ前記一対のリールハブと前記上ハーフ部材との間隙部分、及び前記一対のリールハブと前記下ハーフ部材との間隙部分に、それぞれ配置可能とされていることを特徴とするテープカセット。」で一致し、
　
以下の点で相違する。
（１）本願発明ではヘッドドラムに対して所要角度で傾斜して回転されるようになされた回転ヘッドによりヘリカルスキャン方式で記録再生が行われるテープカセットであって、開口部がヘッドドラムの挿入部を成すのに対して、刊行物１の発明では、ヘリカルスキャン方式で記録再生が行われるテープカセットではなく、開口部は記録再生ヘッドが挿入される開口部である点。
（２）左右非対称の形状が、本願発明ではカセット筐体の背面側に相当する内壁部分に段部が成形され、この段部に対応してシート部材に段部が形成された形状であるのに対して、刊行物１の発明では窓枠部上方と下方に４つの案内突部と、窓枠部の上方部に一箇所の位置決めリブが突設され、位置決めリブに対応して滑性シート（シート部材）の短辺に切り欠きが形成され、長手方向の両端部は案内突部に接する形状である点。
　
４．当審の判断
　　相違点（１）について　
　ヘッドドラムに対して所要角度で傾斜して回転されるようになされた回転ヘッドによりヘリカルスキャン方式で記録再生が行われるようにヘッドドラムの挿入部を有するテープカセットは周知（特開平３−１７８０８８号公報、特開平３−２２４１８３号公報、特開平３−１７８０９０号公報等参照）であるから、刊行物１の発明におけるテープカセットを、上記周知のヘリカルスキャン方式で記録再生が行われるテープカセットととして構成することは、当業者が容易に推考できることと認める。
　
　　相違点（２）について
　刊行物１の発明も、カセット筐体の内壁に沿った部分で左右非対称の形状とするとともに、潤滑シート（シート部材）も左右非対称の形状とするものである。そして、ハーフ内底面を覆うシート部材をカセット内壁に沿った形状としたテープカセットは周知（実願昭６１−１２０３５５号（実開昭６３−２９２８５号）のマイクロフィルム、実願昭５６−１６９９１２号（実開昭５８−７５３８２号）のマイクロフィルム等参照）であるから、刊行物１の発明においても、シート部材を上記周知のテープカセットのようにカセット筐体の背面側に沿った形状とし、内壁に沿った部分を左右非対称の形状とするとともに、該カセット内壁部分もこれに対応する形状とすることは当業者容易に想到できたものである。その場合、シート部材の誤挿入防止の目的でシート部材を左右非対称形状とするために凹凸形状等を左右の何れかに形成することで足りることは明かであり（刊行物１の発明における切り欠き部は正にこのような凹凸形状に相当する）、しかも凹凸形状として段部は周知の形状であるから、シート部材の誤挿入防止の目的でシート部材を左右非対称形状とするために切り欠きに変えて単に段部とするとともに、カセット筐体の背面側に相当する内壁部分にもこれに対応した段部を形成することは当業者が必要に応じて適宜なし得た程度の事項である。
　
５．むすび
　したがって、本願発明は、引用例に記載された発明及び周知例に基いて当業者が容易に発明をすることができたものであるので、特許法第２９条第２項の規定により特許を受けることができない。
　 よって、結論のとおり審決する。